(57)【要約】【課題】小物入れをより使いやすく、かつ安定的に装着でき、収納物を簡便に携帯でき、例えば収納した防犯ブザーを使いやすい位置に設置できるようにするなどした吊下げ式小物入れを提供する。【解決手段】外面にポケット６を形成した収納本体１に吊下げベルト３下端部を固着し、吊下げベルト上部に掛止めベルト４を延長形成して吊下げ式小物入れを構成し、吊下げベルトには横方向に巻き回して止着乃至開放可能な横ベルト８を交差状に装着した。【選択図】図１
0003125781.tif 000002
【実用新案登録請求の範囲】
【請求項１】
収納本体に吊下げベルト下端部を固着し、吊下げベルト上部に掛止めベルトを延長形成してなる構成を有する吊下げ式小物入れ。
【請求項２】
吊下げベルトには横方向に巻き回して止着乃至開放可能な横ベルトを交差状に装着してなる請求項１に記載の小物入れ。
【請求項３】
吊下げベルト下端部に固着した収納本体の外面に、吊下げベルトと掛止めベルトとを折り畳んで収納可能なポケットを形成してなる請求項１又は２に記載の小物入れ。
【請求項４】
吊下げベルト下端部に固着した収納本体の外面に、縦方向のベルトに止め付け可能で開放可能な止着ベルトを装着してなる請求項１〜３のいずれかに記載の小物入れ。
【請求項５】
吊下げベルトの上部に掛止めベルトを延長形成し、吊下げベルトには横方向に巻き回して止着乃至開放可能な横ベルトを交差状に装着し、吊下げベルト下端部には吊下げ用係止具を装着してなる小物用吊下げ具。
【考案の詳細な説明】
【技術分野】
【０００１】
本考案は、ランドセル等の背負いバッグや肩掛けバッグなどの背負いベルト乃至肩掛けベルトに好適に着脱できる吊下げ式小物入れに関する。
【背景技術】
【０００２】
従来の小物入れは、ずぼんのベルト通し部を背面側に形成したもの、雌雄いずれか一方の面ファスナー乃至ホックを装着し、被装着部に装着した他方のファスナーなどに止着するように形成したものなどがある。また、収納した小物を使用する場合は、小物入れから出し入れするものであった。
一方、近時は学童が通学途中で暴漢に襲われるなど、学童の被害事件が多発しており、その対策の一つとして防犯ブザーをランドセルに吊下げて携帯することが推奨されている。ランドセルの側面部には幾つかの吊下げ金具が装着されているものがあり、防犯ブザーをこれに吊下げる考え方が示されている。
これに対し、防犯ブザーを使いやすく、かつ安定的に装着できるようにした防犯ブザー入れが下記文献に開示されている。
【特許文献１】実用新案登録第３１１３９５３号公報
【考案の開示】
【考案が解決しようとする課題】
【０００３】
本考案は、上記のような背景の上に、さらに改良を加え、小物入れをより使いやすく、かつ安定的に装着でき、収納物を簡便に携帯でき、また例えば収納した防犯ブザーを使いやすい位置に設置できるようにするなどした吊下げ式小物入れを提供せんとするものである。
【課題を解決するための手段】
【０００４】
上記課題を解決するために、本考案は、収納本体に吊下げベルト下端部を固着し、吊下げベルト上部に掛止めベルトを延長形成して吊下げ式小物入れを構成し、吊下げベルトには横方向に巻き回して止着乃至開放可能な横ベルトを交差状に装着できるようにしたことを特徴とするものである。
吊下げベルト下端部に固着した収納本体の外面には、吊下げベルトと掛止めベルトとを折り畳んで収納可能なポケットを形成し、さらには、吊下げベルト下端部に固着した収納本体の外面に、縦方向のベルトに止め付け可能で開放可能な止着ベルトを装着するのが好ましい。
また、本考案は、吊下げベルトの上部に掛止めベルトを延長形成し、吊下げベルトには横方向に巻き回して止着乃至開放可能な横ベルトを交差状に装着し、吊下げベルト下端部には吊下げ用係止具を装着して小物用吊下げ具となしたことも特徴とする。
【考案の効果】
【０００５】
本考案によれば、吊下げた収納本体に所望の小物、例えば防犯ブザーを収納して携帯することができ、吊下げベルト上部に掛止めベルトを延長形成してあるので、掛止めが自由で、収納本体を所望位置に垂下させ、便利に使用ができ、横ベルトをランドセル乃至ザックの背負いベルト、或いはハンドバッグ乃至肩掛けバッグの肩掛けベルトなどに、巻き付けて密着させて安定した状態に保持させることができる。
収納本体の外面にポケットを形成してあれば、吊下げベルトと掛止めベルトとを折り畳んで収納でき、収納本体を吊下げることなく、所持使用することもできるものとなる。収納本体の外面に止着ベルトを装着してあれば、この収納本体を止着することもできる。
【考案を実施するための最良の形態】
【０００６】
以下、本考案の一実施形態を図面とともに説明する。
図１〜３は一実施例の小物入れを示し、図４〜６は別の一実施例を、図７はさらに別の一実施例を示してある。
【０００７】
図１〜３において、１は小型の収納本体であり、図では、蓋面、本体背面、底面そいて正面を一枚地を折曲して連設し、厚み幅にゆとりをもたせた側面地を合わせて、全体に縁取りをして縫製し、蓋２付きのバッグ構成としてあるが、この収納本体の構成は任意でよい。
【０００８】
収納本体１の背面には、帯状の所望長さの吊下げベルト３の下端部を縫着するなどして固着し、吊下げベルト上部に上方に延長する掛止めベルト４を連設し、該掛止めベルト４は着脱自在な雌雄バックル５によって環状に連結できるように形成して、任意個所に掛止め自由としてあり、同背面には、吊下げベルト３と掛止めベルト４を折り畳んで収納できるようなポケット６を形成し、その外側に左右端に亘るように連結する止着ベルト７ａ、７ｂの両端を縫着するなどして固着してある。止着ベルトは，図では、一方のベルト７ｂの内端に連結リングを装着し、他方のベルト７ａはこの連結リングを挿通した上で折り返し重合し、接合面に予め装着してある雌雄ベルベット式ファスナーで止着できるようにしてあるが、他の構成であってもよい。
【０００９】
上記構成の小物入れには任意の小物を収納し、掛止めベルト４を、例えばランドセルの背負いベルト乃至該ベルト取付け金具、バッグの肩掛けベルトなどに掛止め、収納本体を吊下げ使用することができ、また、収納本体１の背面の止着ベルト７ａ、７ｂを上記ランドセルの背負いベルトなどに巻き付けて抱持させることもできる。
【００１０】
図４〜５において、小物入れとしての共通構成は上記例と同符号を付してある。吊下げベルト３の上下部付近にはそれぞれ、横方向に巻き回して止着乃至開放可能な帯状の横ベルト８，８を交差状に装着してある。
横ベルト８は、図４，５に示す如く、一端部を吊下げベルト３に縫着するなどして固着し、横方向に延びたベルトを吊下げベルトの後方に折り返すようにして巻き回し、先端部を元端部の正面側に重合し、接合面に予め装着してある雌雄ベルベット式ファスナーで止着できるようにしてある
【００１１】
この構成によれば、横ベルト８を例えばランドセルの背負いベルトに巻き付けて、吊下げベルト３をしっかりと背負いベルトに密着保持させることができ、しかも、保持作業は横ベルトを巻き回すだけで簡便に行なうことができる。
【００１２】
図６の例では、吊下げベルト４の下端部を収納本体の背面内に入り込んだ部位で固着し、横ベルトをその直上で収納本体から離れない位置において装着するようにしてある。また、その下方の背面内には左右両端部を縫着などして固着した横長の弾性帯片を装着してある。弾性帯片には例えば上記ランドセルの背負いベルトを通すことにより、収納本体を該背負いベルトに固定させることができる。
なお、収納本体の底面中央部に小孔を設けてあれば、防犯ブザーを収納し、防犯ブザーの操作紐を小孔から垂下させておくことができる。
【００１３】
図７は、上記吊下げベルト３の上方に掛止めベルト４を連設し、吊下げベルトの上下部付近に横ベルト８，８を装着し、吊下げベルト下端部にはリング状の吊下げ用係止具１０を装着し、吊下げベルトの正面乃至正面中間部には反射面１１を形成してある。反射面形成は任意であり、前記の例でも形成することができる。
吊下げ用係止具１０には、任意の小物を吊下げることができ、例えば防犯ブザーを吊るすことができ、掛止め部を設けてあれば上記例の如き収納本体を装着することができる。
なお、上記は一実施例であるので、各部の構成、形状は上記記載に限定されるものではなく変更可能である。
【図面の簡単な説明】
【００１４】
【図１】本考案に係る一例小物入れを示し、（Ａ）は正面斜視図、（Ｂ）は背面斜視図である。
【図２】図１の収納本体部分の縦断面図である。
【図３】止着ベルトを伸ばした状態で示した収納本体部分の背面図である。
【図４】横ベルトを装着した一例小物入れ部分を示し、（Ａ）は正面図、（Ｂ）は横ベルトを伸ばした状態の正面図である。
【図５】図４の横ベルト部分を示し、（Ａ）はその切断部端面図、（Ｂ）は横ベルトを伸ばした状態の切断部端面図である。
【図６】図４の変形の一例小物入れ部分を示し、（Ａ）は正面図、（Ｂ）は背面図である。
【図７】本考案に係る別の一例としての小物用吊下げ具を示し、（Ａ）は正面斜視図、（Ｂ）は横ベルトを伸ばした状態の正面斜視図である。
【符号の説明】
【００１５】
１  収納本体、      ２  蓋、      ３  吊下げベルト、      ４  掛止めベルト、
５  雌雄バックル、      ６  ポケット、      ７ａ，７ｂ  止着ベルト、
８  横ベルト、      ９  弾性帯片、      １０  係止具、  
【図１】
0003125781.tif 000003
【図２】
0003125781.tif 000004
【図３】
0003125781.tif 000005
【図４】
0003125781.tif 000006
【図５】
0003125781.tif 000007
【図６】
0003125781.tif 000008
【図７】
0003125781.tif 000009
【手続補正書】
【提出日】平成18年7月24日(2006.7.24)
【手続補正１】
【補正対象書類名】実用新案登録請求の範囲
【補正対象項目名】全文
【補正方法】変更
【補正の内容】
【実用新案登録請求の範囲】
【請求項１】
収納本体に吊下げベルト下端部を固着し、吊下げベルト上部に掛止めベルトを延長形成してなる構成を有する吊下げ式小物入れ。
【請求項２】
吊下げベルトには横方向に巻き回して止着乃至開放可能な横ベルトを交差状に装着してなる請求項１に記載の小物入れ。
【請求項３】
吊下げベルト下端部に固着した収納本体の外面に、吊下げベルトと掛止めベルトとを折り畳んで収納可能なポケットを形成してなる請求項１又は２に記載の小物入れ。
【請求項４】
吊下げベルト下端部に固着した収納本体の外面に、縦方向のベルトに止め付け可能で開放可能な止着ベルトを装着してなる請求項１〜３のいずれかに記載の小物入れ。